(57)【要約】【課題】被洗物の乾燥度を客観的に数値化して測定することにより、適正な乾燥度に制御することができ、省エネルギーに貢献することができるロールアイロナー用乾燥度検出装置を提供する。【解決手段】磁界を発生させる発振コイル８と、発振コイルの磁界を検出すべく発振コイルと対向して配置され、洗濯・脱水・乾燥された被洗物を発振コイルとの間に通して磁界を検出する検出コイル９と、被洗物中の残留水分量に応じて検出コイルが検出する磁束変化から被洗物の乾燥度を算出する演算部１０と、演算部の出力データを受けてロールアイロナーの加熱温度及び／又はロール回転速度を制御する制御部３を備えるロールアイロナー用乾燥度検出装置２を提供する。【選択図】図１
2015157031.tif 000002
【特許請求の範囲】
【請求項１】
磁界を発生させる発振コイルと、
該発振コイルの磁界を検出すべく発振コイルと対向して配置され、洗濯・脱水・乾燥された被洗物を上記発振コイルとの間に通して磁界を検出する検出コイルと、
被洗物中の残留水分量に応じて上記検出コイルが検出する磁束変化から被洗物の乾燥度を算出する演算部と、
該演算部の出力データを受けて上記ロールアイロナーの加熱温度及び／又はロール回転速度を制御する制御部を備えることを特徴とするロールアイロナー用乾燥度検出装置。
【請求項２】
演算部は、被洗物の完全乾燥時の磁束と下限となる乾燥の磁束の値とから、被洗物の乾燥度の上限及び／又は下限の磁束の値を予め設定していることを特徴とする請求項１に記載のロールアイロナー用乾燥度検出装置。
【発明の詳細な説明】
【技術分野】
【０００１】
本発明は、洗濯・脱水した被洗物を連続して乾燥仕上げするロールアイロナーにおいて、被洗物の乾燥度合いを検出し適切に制御することにより被洗物を好適に乾燥させるとともに省エネルギーに貢献するロールアイロナー用乾燥度検出装置に関するものである。
【背景技術】
【０００２】
従来、連続洗濯設備において、洗濯・脱水した被洗物を連続してプレス仕上げする装置としてカレンダーロールアイロナーが広く用いられている。このカレンダーロールアイロナーは、連設した複数本の回転する加熱ロールと、この加熱ロールに密接して移動する耐熱性の無端ベルトとの間に被洗物を挟み込んで加熱して押さえながら回転移送することにより、被洗物の皺を伸ばしてプレス仕上げして乾燥させるものである（特許文献１参照）。
【０００３】
このロールアイロナーを用いる連続洗濯システムにあっては、シーツやタオルなどの平らなものが洗濯・乾燥されることが多く、この場合洗濯され脱水された被洗物は、一般的に残留水分率が４０％程度でロールアイロナーに送られてくる。この残留水分率約４０％の被洗物を、本ロールアイロナーにて処理する場合に、乾燥度９８．０〜９８．５％（完全乾燥を１００％とする）にすることが経験的に適切とされている。
そして、この被洗物の乾燥度合いについては、実際の工程では測定器で測定するのではなく、ロールアイロナーの後工程の折り畳み工程において作業者が被洗物に触れることで乾燥度を感覚的に判断し、これにより供給蒸気圧やロールの回転速度などを制御することが行われているのが実態である。すなわち、加熱ロールに供給する蒸気圧を上げて温度を上げたり、ロールの回転速度を下げて被洗物に対する加熱時間を増やしたりすることが適宜選択されている。
【先行技術文献】
【特許文献】
【０００４】
【特許文献１】特開２０１３−５８５７号公報
【発明の概要】
【発明が解決しようとする課題】
【０００５】
しかしながら、乾燥度が低いと被洗物が生乾き（未乾燥）となってしまい、保管時に臭気を発生したり、カビが発生したりするおそれがあった。
また、高生産性を追求される状況ではロールの回転速度を下げることは、時間当たりの処理数に影響することから難しく、さらには前工程の脱水工程での脱水率が各種要因により異なったからといって、すぐにその脱水率に応じた加熱制御することも難しかった。
そこで、被洗物が未乾燥にならないよう作業者が感覚に頼って乾燥度を高めに設定することが通常行われていた。しかしながら、被洗物の乾燥度を高めに設定すること、すなわち過乾燥にすることは、エネルギーの損失であるとともに、被洗物を傷める原因ともなり、それに加えて高温になった被洗物を冷却する手間を要するという課題があった。
【０００６】
本発明は、このような実情に鑑みてなされたものであり、被洗物の乾燥度を客観的に数値化して測定することにより、適正な乾燥度に制御することができ、省エネルギーに貢献することができるロールアイロナー用乾燥度検出装置を提供しようとするものである。
【課題を解決するための手段】
【０００７】
上記課題に鑑みて鋭意研究の結果、本発明者は、発振コイルと検出コイルとの間の磁束を検出して微小な金属の混入を検出する金属検出器を利用して、被洗物の乾燥度を検出することができるロールアイロナー用乾燥度検出装置を案出するに至った。
【０００８】
すなわち、本発明のロールアイロナー用乾燥度検出装置は、磁界を発生させる発振コイルと、該発振コイルの磁界を検出すべく発振コイルと対向して配置され、洗濯・脱水・乾燥された被洗物を上記発振コイルとの間に通して磁界を検出する検出コイルと、被洗物中の残留水分量に応じて上記検出コイルが検出する磁束変化から被洗物の乾燥度を算出する演算部と、該演算部の出力データを受けて上記ロールアイロナーの加熱温度及び／又はロール回転速度を制御する制御部を備えることを特徴とする。
本発明によれば、官能に頼らざるを得なかった被洗物の乾燥度チェックを、客観的に数値化することが可能となり、これにより被洗物を過乾燥することなく、また未乾燥にすることもなく、無駄なエネルギーを用いることなく適正な乾燥状態にすることができるものである。
【０００９】
また本発明のロールアイロナー用乾燥度検出装置は、演算部が、被洗物の完全乾燥時の磁束と下限となる乾燥の磁束の値とから、被洗物の乾燥度の上限及び／又は下限の磁束の値を予め設定していることを特徴とする。
【図面の簡単な説明】
【００１０】
【図１】本発明のロールアイロナー用乾燥度検出装置とロールアイロナーの説明図である。
【図２】本発明のロールアイロナー用乾燥度検出装置の説明図である。
【発明を実施するための形態】
【００１１】
以下、添付図面を参照しながら、本発明に係るロールアイロナー用乾燥度検出装置を実施するための形態を詳細に説明する。図１、図２は、本発明の実施の形態を例示する図であり、これらの図において、同一の符号を付した部分は同一物を表わし、基本的な構成及び機能は同様であるものとする。
【００１２】
図１は、ロールアイロナー１と、その被洗物出口に配置されたロールアイロナー用乾燥度検出装置２と、これらと連携して被洗物に対する加熱を制御するための制御装置３を示している。
ロールアイロナー１は、１個又は複数個の加熱ロール４を備え（本実施例では４個）、その加熱ロール４はその内部に蒸気を通じることで外周面が加熱され、その加熱された外周面には無端ベルトが巻き付けられて周回し、そして加熱ロール４と無端ベルトとの間に被洗物を挟み込むことによりプレスしている。被洗物は、図１のロールアイロナー１の左端の投入口から投入され、右端の被洗物出口１ａから送出される。
【００１３】
ロールアイロナー１の被洗物出口１ａから送り出された被洗物は、図２に示すように、折りたたみ機５に送られて折りたたまれた後、複数枚重ねられ積重被洗物６としてベルトコンベア７上を搬送される。ロールアイロナー用乾燥度検出装置２は、折りたたみ機５の下流に設置されており、積重被洗物６とベルトコンベア７を挟んで、上方に発振コイル８、下方に発振コイル８からの磁界（磁束）を検出する一対の検出コイル９を配置するとともに、この一対の検出コイル９の信号から被洗物の乾燥度を演算する演算部１０を備えている。
【００１４】
この磁界の測定には、乾燥後の被洗物に金属が混入していないかをチェックするために一般に用いられている金属検出器（探針機）の機能を応用することができる。
金属検出器の原理は、発振コイルと、この発振コイルからの磁界を検出する２つの検出コイルの間を金属が順に通過する際に、金属に近い検出コイルと遠い検出コイルとの間に検出する磁束の差が生じることから、この磁束の差を信号としてとらえることにより金属を検出するものである。
これに対し本実施例にあっては、積重被洗物６が、発振コイル８と検出コイル９の間を通過する際に、被洗物の残留水分率が０％、すなわち完全乾燥の場合には、被洗物が一対の検出コイル９上を順次通過しても一対の検出コイル９が検出する磁界にほとんど変化は生じないが、被洗物の残留水分率が高い（乾燥度が低い）と磁界が乱れて一対の検出コイルが検出する磁界に差が生じることが経験的に知られている。それは、従来の金属検出器を使用していた際に、針などの小さな金属を確実に検出すべく、検出感度の設定を上げた場合に、被洗物の残留水分率が高いと金属検出器がこれに反応して金属を探知したと誤作動することがあった。
【００１５】
この金属検出器の場合は、検出すべき金属の大きさに応じて磁界の変化のスレッショルドレベル（しきい値）をユーザーが設定してオン・オフ制御しているが、本実施例にあっては、測定した磁界の相対変化を相対値として利用するものである。
本発明は、この磁界の変化の検出に着目して、適正な残留水分率（本実施例の場合は乾燥度の下限９８．０及び／又は上限９８．５％）における磁界を設定しておくことにより、ロールアイロナー用乾燥度検出装置２が乾燥度の下限・上限の間の適正な乾燥度を外れた値を検出した場合に、制御装置３が加熱ロールに対する蒸気圧及び／又は加熱ロールの回転数を制御し、これにより加熱ロールの温度をコントロールするものである。
【００１６】
すなわち、所定の被洗物における乾燥度１００％のときに検出コイル９が検出した磁束と、例えば乾燥度９８％のときに検出コイル９が検出した磁束とから磁束−乾燥度・曲線を演算部１０が算出する。この磁束−乾燥度・曲線は、被洗物の種類、例えばシーツ、浴衣、タオル等では異なることも考えられることから、本実施例のロールアイロナー用乾燥度検出装置２の演算部１０にあっては、取り扱う被洗物すべての種類について磁束−乾燥度・曲線を算出して予め設定しておく。
そして、ロールアイロナーにて被洗物を乾燥・仕上げする際に、その被洗物の種類に応じて予め設定されている磁束−乾燥度・曲線を選択することにより、制御装置３は乾燥度が９８．５％を超えると判断した場合に、蒸気圧を下げて加熱ロールの温度を下げたり、加熱ロールの回転速度を速めたりして被洗物の適正な乾燥状態に制御する。
また、乾燥度が９８％を下回ると判断した場合は、制御装置３は蒸気圧を上げて加熱ロールの温度を上げたり、加熱ロールの回転速度を遅くしたりして被洗物の適正な乾燥状態に制御するものである。
【００１７】
本実施例のロールアイロナー用乾燥度検出装置を用いてロールアイロナーに供給する蒸気圧をコントロールして加熱ロールの温度制御を行った場合に、
《従来》
０．７５ＭＰａの蒸気圧で乾燥度９９．７％に乾燥させていた綿１００％のシーツ（６．６ｍ２）１枚当たりの蒸気流量が、１．２８〜１．６７ｋｇ（単位時間当たりのシーツの枚数＝ペースにより変化する）であったのに対し、
《本実施例》
０．５ＭＰａの蒸気圧で乾燥度９８．０％に乾燥させた綿１００％のシーツ（６．６ｍ２）１枚当たりの蒸気流量が１．００〜１．４４ｋｇと減少し、蒸気ロスが１４〜２２％改善された。
【００１８】
以上、本発明のロールアイロナー用乾燥度検出装置について、具体的な実施の形態を示して説明したが、本発明はこれらに限定されるものではない。当業者であれば、本発明の要旨を逸脱しない範囲内において、上記実施形態におけるロールアイロナー用乾燥度検出装置の構成及び機能に様々な変更・改良を加えることが可能である。
【産業上の利用可能性】
【００１９】
本発明のロールアイロナー用乾燥度検出装置は、連続洗濯設備のロールアイロナーを製造する産業において利用することができるものである。
【符号の説明】
【００２０】
１：ロールアイロナー
２：ロールアイロナー用乾燥度検出装置
３：制御装置
４：被洗物出口
５：折りたたみ機
６：積重被洗物
８：発振コイル
９：検出コイル
１０：演算部
【図１】
2015157031.tif 000003
【図２】
2015157031.tif 000004